(57)【特許請求の範囲】
【請求項１】
一対の床大梁と，この一対の床大梁間にこれとほぼ平行に且つ等間隔に配設された複数の床小梁と，この前記床大梁及び床小梁の上面に取り付けられた床材とからなる床と、天井野縁とこの天井野縁の下面に取り付けられた天井材とからなる下階の天井とからなる床構造であって、
前記床大梁と前記床小梁との間及び各床小梁間に垂直連結板が差し渡されて取り付けられ、前記垂直連結板の下面の高さが前記床大梁の下面より前記天井野縁の高さだけ高い位置に設けられ、この垂直連結板のほぼ垂直な側面と前記天井野縁との間に弾性防振材を挟んで天井野縁が垂直連結板に取り付けられていることを特徴とする床構造。
【請求項２】
一対の床大梁と，この一対の床大梁間にこれとほぼ平行に且つ等間隔に配設された複数の床小梁と，この前記床大梁及び床小梁の上面に取り付けられた床材とからなる床と、天井野縁とこの天井野縁の下面に取り付けられた天井材とからなる下階の天井とからなる床構造であって、
前記床大梁と前記床小梁との間及び各床小梁間に垂直連結板が差し渡されて取り付けられ、前記垂直連結板の下面の高さが前記床大梁の下面より前記天井野縁の高さだけ高い位置に設けられ、前記天井野縁に天井野縁側連結金具の天井野縁側取付部が取り付けられ、この天井野縁に取り付けられた天井野縁側連結金具の垂直片と垂直連結板のほぼ垂直な側面との間に弾性防振材を挟んで天井野縁が垂直連結板に取り付けられていることを特徴とする床構造。
【請求項３】
一対の床大梁と，この一対の床大梁間にこれとほぼ平行に且つ等間隔に配設された複数の床小梁と，この前記床大梁及び床小梁の上面に取り付けられた床材とからなる床と、天井野縁とこの天井野縁の下面に取り付けられた天井材とからなる下階の天井とからなる床構造であって、
前記床大梁と前記床小梁との間及び各床小梁間に垂直連結板が差し渡されて取り付けられ、前記垂直連結板の下面の高さが前記床大梁の下面より前記天井野縁の高さだけ高い位置に設けられ、この垂直連結板のほぼ垂直な側面に垂直連結板側連結金具の垂直片が取り付けられ、前記天井野縁に天井野縁側連結金具の天井野縁側取付部が取り付けられ、垂直連結板に取り付けられた垂直連結板側連結金具の水平片の上面と天井野縁に取り付けられた天井野縁側連結金具の上側水平片の下面との間に弾性防振材を挟んで天井野縁が垂直連結板に取り付けられていることを特徴とする床構造。
【請求項４】
前記天井野縁が断面矩形状の長尺体の野縁受け材と断面矩形状の長尺体の野縁材とからなり、断面矩形状の長辺を垂直にした野縁受け材の下面に野縁材が、野縁材の断面矩形状の長辺を水平にして連結されたものであることを特徴とする請求項１〜請求項３のいずれかに記載の床構造。
【請求項５】
前記天井野縁に制振重りが取り付けられていることを特徴とする請求項１〜請求項４のいずれかに記載の床構造。
【請求項６】
請求項１〜請求項５のいずれかに記載の床構造が備えられていることを特徴とするユニット建物。
【発明の詳細な説明】
【０００１】
【発明の属する技術分野】
この発明は遮音性能のよい床構造に関する。特に、ユニット建物に好適な床構造に関する。
【０００２】
【従来の技術】
従来、上階の床の上を歩いたり床の上に物を落下させると、床が振動し、この振動によって発生する音が下階に響いて、下階に居る人の迷惑になっていた。かかることを防ぐために従来種々な床構造が知られている。例えば、実開昭５８−１２３１１１号公報や実開昭和５８−１７４５１６号公報には、床の構造材の下面に垂直面を有する取付金具が取り付けられ、天井野縁の上面にも垂直面を有する取付金具が取り付けられ、この床側の取付金具の垂直面と天井野縁側の取付金具の垂直面との間に弾性防振材を挟んで両方の取付金具が連結されて、天井野縁が床の構造材に取り付けられている床構造が記載されている。
【０００３】
一方、ユニット建物を構成する建物ユニットの床構造としては、図７に示す床と天井とからなる構造が知られている。即ち、建物ユニットの床の骨格は、側縁部に桁側床大梁１０２，１０２が配置されると共に、この床大梁１０２，１０２間にほぼ等間隔で床小梁１０３，・・・が複数配設され、この床小梁１０３と床大梁１０２の間や床小梁１０３と隣の床小梁１０３の間に垂直連結材１０４が取り付けられているものである。このように床大梁１０２や床小梁１０３からなる梁部材がほぼ平行になっていて、このほぼ平行な梁部材に垂直連結材１０４が差し渡されて取り付けられている。そして、この梁部材の上面に床材１０１が取り付けられて床が構成されている。
【０００４】
そして、この床構造では、床大梁１０２や床小梁１０３等の梁部材の下端部のほぼ垂直な側面に根太継ぎ１０５が取り付けられ、この根太継ぎ１０５の上に水平連結板１０６が架け渡され、この水平連結板１０６に天井野縁受け材１０７を介して天井野縁１０８が取り付けられ、この天井野縁１０８の下面に天井材１０９が取り付けられて下階の天井が梁部材に取り付けられている。このように、このユニット建物の床構造では、梁部材１０２，１０３に直接天井野縁１０８を取り付けずに、水平連結板１０６，野縁受け材１０７を介して取り付けることにより、床材の振動が直接天井材に伝わらないようになっている。
【０００５】
【発明が解決しようとする課題】
しかしながら、このユニット建物の床構造では、軽量床衝撃音は、床大梁１０２や床小梁１０３等の床梁部材と根太継ぎ１０５との連結部や、根太継ぎ１０５と野縁受け材１０７との連結部を伝播する際に大きく減少するが、更なる減少が求められている。また、この水平連結板１０６と野縁受け材１０７とを介して取り付ける床構造では、ほぼ平行な梁部材の間に手を入れて野縁受け材１０７を取り付けたり、この野縁受け材に水平連結板１０６を取り付ける必要があり、極めて施工し難い。
【０００６】
一方、上記公報記載の床構造では構造材の下面に弾性防振材を介して天井が取り付けられているので、重量床衝撃音の伝達を防ぐことができるし、軽量床衝撃音の伝達も防ぐことができ、良好な床構造である。そこで、上記公報記載のように、建物ユニットの床の構造材である梁部材の下面に垂直面を有する取付金具を取り付け、天井野縁の上面にも垂直面を有する取付金具を取り付け、この床梁部材の取付金具の垂直面と天井野縁の垂直面との間に弾性防振材を挟んで、両方の取付金具を連結することを試みたが、床材と天井材との距離が大きくなってユニット建物に適しないことが判明した。
【０００７】
即ち、ユニット建物は、ユニット建物を構成する建物ユニットを工場等で製造し、施工現場に運搬し、施工現場で組み立てるものである。このように建物ユニットを工場から施工現場まで運搬するために、この建物ユニットの高さは道路交通法によって制限されている。一方、建物の居住性をよくするために床と天井との間の距離は大きい方がよい。従って、通常の建物ユニットでは、床材と下階の天井材との間の距離をできるだけ小さくして居住性をよくしている。従って、床と下階の天井との間に上記公報記載の床構造を設けるだけの隙間がなく、上記公報記載の床構造を採用することができない。
【０００８】
そこで、この発明の目的は、軽量床衝撃音に対しても、衝撃音が下階に伝播し難く、しかも、床材と下階の天井材との距離を従来とほぼ同じにすることのできる床構造を提供することである。
【０００９】
【課題を解決するための手段】
本発明は上記目的を達成するためになしたものであって、請求項１記載の発明は、一対の床大梁と，この一対の床大梁間にこれとほぼ平行に且つ等間隔に配設された複数の床小梁と，この前記床大梁及び床小梁の上面に取り付けられた床材とからなる床と、天井野縁とこの天井野縁の下面に取り付けられた天井材とからなる下階の天井とからなる床構造であって、前記床大梁と前記床小梁との間及び各床小梁間に垂直連結板が差し渡されて取り付けられ、前記垂直連結板の下面の高さが前記床大梁の下面より前記天井野縁の高さだけ高い位置に設けられ、この垂直連結板のほぼ垂直な側面と前記天井野縁との間に弾性防振材を挟んで天井野縁が垂直連結板に取り付けられている床構造としたことを特徴とする。
【００１０】
請求項２記載の発明は、一対の床大梁と，この一対の床大梁間にこれとほぼ平行に且つ等間隔に配設された複数の床小梁と，この前記床大梁及び床小梁の上面に取り付けられた床材とからなる床と、天井野縁とこの天井野縁の下面に取り付けられた天井材とからなる下階の天井とからなる床構造であって、前記床大梁と前記床小梁との間及び各床小梁間に垂直連結板が差し渡されて取り付けられ、前記垂直連結板の下面の高さが前記床大梁の下面より前記天井野縁の高さだけ高い位置に設けられ、前記天井野縁に天井野縁側連結金具の天井野縁側取付部が取り付けられ、この天井野縁に取り付けられた天井野縁側連結金具の垂直片と垂直連結板のほぼ垂直な側面との間に弾性防振材を挟んで天井野縁が垂直連結板に取り付けられている床構造としたことを特徴とする。
【００１１】
この請求項２記載の発明においては、天井野縁に取り付けられた天井野縁側連結金具の垂直片と垂直連結板のほぼ垂直な側面との間に弾性防振材を挟んで天井野縁が垂直連結板に取り付けられているが、かかる構造にするには、垂直連結板のほぼ垂直な側面に直接弾性防振材を当接させ、この弾性防振材を挟んで天井野縁側連結金具の垂直片を垂直連結板に取り付けてもよいし、垂直連結板のほぼ垂直な側面に平板状の連結金具を取り付け、この平板状の垂直連結板側連結金具の側面に弾性防振材を当接させ、この弾性防振材と平板状の垂直連結板側連結金具とを挟んで天井野縁側連結金具の垂直片を垂直連結板に取り付けてもよい。また、この天井野縁側連結金具は、天井野縁側取付部となる水平片と垂直片とでＬ字形に形成されたものであると構造が簡単でよい。
【００１２】
請求項３記載の発明は、一対の床大梁と，この一対の床大梁間にこれとほぼ平行に且つ等間隔に配設された複数の床小梁と，この前記床大梁及び床小梁の上面に取り付けられた床材とからなる床と、天井野縁とこの天井野縁の下面に取り付けられた天井材とからなる下階の天井とからなる床構造であって、前記床大梁と前記床小梁との間及び各床小梁間に垂直連結板が差し渡されて取り付けられ、前記垂直連結板の下面の高さが前記床大梁の下面より前記天井野縁の高さだけ高い位置に設けられ、この垂直連結板のほぼ垂直な側面に垂直連結板側連結金具の垂直片が取り付けられ、前記天井野縁に天井野縁側連結金具の天井野縁側取付部が取り付けられ、垂直連結板に取り付けられた垂直連結板側連結金具の水平片の上面と天井野縁に取り付けられた天井野縁側連結金具の上側水平片の下面との間に弾性防振材を挟んで天井野縁が垂直連結板に取り付けられている床構造としたことを特徴とする。
【００１３】
天井野縁側連結金具は、天井の縁側取付部である下側水平片と上側水平片と垂直板部とでＺ字形に形成されたものであると構造が簡単でよい。又、垂直連結板側連結金具は垂直片と水平片とでＬ字形に形成されたものであると構造が簡単でよい。
【００１４】
この請求項１〜請求項３記載の発明における梁部材とは、床大梁、床小梁等の床の構造材をいう。また、請求項１〜請求項３記載の発明に使用する弾性防振材とはゴムや軟質剛性樹脂の如き弾性を有するものであって、この弾性防振材を挟んで天井野縁が垂直連結板に取り付けられていると、垂直連結板が振動しても、弾性防振材がこの振動を吸収して天井野縁が殆ど振動しなくするものである。
【００１５】
この弾性防振材は上下振動をよく吸収させるためには、上下方向（請求項２記載の発明では剪断方向、請求項３記載の発明では圧縮方向）のバネ定数が低いほど効果が大きい。しかし、このバネ定数を低くすると天井が撓み易くなるので、天井が撓まない程度のバネ定数を有するものがよい。例えば、１０ｋｇ程度の照明を吊り下げたときの天井撓みを１ｍｍ以下にするためには、このバネ定数は１００ｋｇｆ／ｃｍ以上にする必要がある。なお、１ｋｇｆ／ｃｍは９．８０６６５Ｎ／ｃｍである。
【００１６】
このバネ定数（請求項２記載の発明では剪断バネ定数（静的特性）であり、請求項３記載の発明では圧縮バネ定数）を１００ｋｇｆ／ｃｍ程度にすると、防振効果（バネ定数（動的特性））は、両方とも１５０ｋｇｆ／ｃｍ程度になり、極めて良好な防振作用を奏する。
【００１７】
なお、一般的に剪断方向のバネ定数は圧縮方向のバネ定数の１／４〜１／７であるから、本発明における弾性防振材を取り付けた床構造では、同じバネ定数の弾性防振材を使用する場合には、水平方向の振動に対する防振効果は、請求項３記載の発明が請求項２記載の発明の１／１６〜１／５０となる。従って、ほぼ同じバネ定数を有する弾性防振材を使用したときには、水平方向の振動を吸収する性能は、請求項３記載の発明の方が優れている。
【００１８】
請求項４記載の発明は、請求項１〜請求項３のいずれかに記載の床構造に係り、前記天井野縁が断面矩形状の長尺体の野縁受け材と断面矩形状の長尺体の野縁材とからなり、断面矩形状の長辺を垂直にした野縁受け材の下面に野縁材が、野縁材の断面矩形状の長辺を水平にして連結されたものである。
【００１９】
請求項５記載の発明は、請求項１〜請求項４のいずれかに記載の床構造に係り、前記天井野縁に制振重りが取り付けられているものである。
【００２０】
請求項６記載の発明は、請求項１〜請求項５のいずれかに記載の床構造が備えられているものである。なお、この床構造は、建物ユニットの上部、下部、中間部のいずれの場所にあってもよい。
【００２１】
【作用】
請求項１記載の発明は、ほぼ平行な床大梁と前記床小梁との間及び各床小梁間に垂直連結板が差し渡されて取り付けられ、この垂直連結板のほぼ垂直な側面と天井野縁との間に弾性防振材を挟んで天井野縁が垂直連結板に取り付けられているので、床の上を人が歩いたり物を落下させて床が振動しても、この振動は、重量床衝撃音も軽量床衝撃音も殆どすべて弾性防振材で吸収され、天井野縁に伝わり難く、極めて良好な防振性、遮音性を備えた床構造である。
【００２２】
かかる床構造にする一施工方法は、弾性防振材が取り付けられている天井野縁を垂直連結板のほぼ垂直な側面に取り付けたり、ほぼ垂直な側面に弾性防振材が取り付けられている垂直連結板に天井野縁を取り付けたり、弾性防振材を挟んで天井野縁を垂直連結板の側面に押し当て、天井野縁を弾性防振材と共に垂直連結板に取り付ければよく施工し易い。
【００２３】
また、天井野縁は垂直連結板のほぼ垂直な側面に取り付けられているので、垂直連結板の下面の高さを梁部材の下面より天井野縁の高さだけ高い位置にして垂直連結板を梁部材に取り付けることにより、この天井野縁の下面に取り付けられる天井材の高さを梁部材のすぐ下方に設けることができる。即ち、従来の梁部材に直接天井材を取り付ける場合とほぼ同じ高さに天井材を取り付けることができる。
【００２４】
又、ほぼ平行な梁部材の間に垂直連結板を差し渡して取り付けることにより、梁部材が倒れなくなると同時に、梁部材間の連結を強固にすることができ、床の剛性が増す。このように床の剛性が増すと、特に、重量床衝撃音に対する床の耐衝撃性がよくなり、床が振動し難くなる。
【００２５】
請求項２記載の発明は、ほぼ平行な床大梁と前記床小梁との間及び各床小梁間に垂直連結板が差し渡されて取り付けられ、天井野縁に天井野縁側連結金具の天井野縁側取付部が取り付けられ、この天井野縁に取り付けられた天井野縁側連結金具の垂直片と垂直連結板のほぼ垂直な側面との間に弾性防振材を挟んで天井野縁が垂直連結板に取り付けられているので、床の上を人が歩いたり物を落下させて床が振動しても、この振動は、重量床衝撃音も軽量床衝撃音も殆どすべて弾性防振材で吸収され、天井野縁に伝わり難く、極めて良好な防振性、遮音性を備えた床構造である。
【００２６】
かかる床構造にする一施工方法は、例えば、天井野縁の上面に天井野縁側取付部となる水平片と垂直片とでＬ字形に形成された天井野縁側連結金具の天井野縁側取付部である水平片を取り付け、弾性防振材を連結金具の垂直片に取り付けたり垂直連結板の垂直面に取り付け、この弾性防振材を挟んで天井野縁側連結金具の垂直片を垂直連結板の側面に押し当てて取り付ければよく施工し易い。
【００２７】
また、請求項１記載の発明と同様に、垂直連結板の下面の高さを梁部材の下面より天井野縁の高さだけ高い位置にして垂直連結板を梁部材に取り付けることにより、この天井野縁の下面に取り付けられる天井材の高さを梁部材のすぐ下方に設けることができる。即ち、従来の梁部材に直接天井材を取り付ける場合とほぼ同じ高さに天井材を取り付けることができる。
【００２８】
又、ほぼ平行な梁部材の間に垂直連結板を差し渡して取り付けることにより、梁部材が倒れなくなると同時に、梁部材間の連結を強固にすることができ、床の剛性が増す。このように床の剛性が増すと、特に、重量床衝撃音に対する床の耐衝撃性がよくなり、床が振動し難くなる。
【００２９】
請求項３記載の発明では、ほぼ平行な床大梁と前記床小梁との間及び各床小梁間に垂直連結板が差し渡されて取り付けられ、この垂直連結板のほぼ垂直な側面にＬ字形の垂直連鉄板側連結金具の垂直片が取り付けられ、前記天井野縁に天井野縁側連結金具の天井野縁側取付部が取り付けられ、垂直連結板に取り付けられた垂直連結板側連結金具の水平片の上面と天井野縁に取り付けられた天井野縁側連結金具の上側水平片の下面との間に弾性防振材を挟んで天井野縁が垂直連結板に取り付けられているので、床の上を人が歩いたり物を落下させて床が振動しても、この振動は、重量床衝撃音も軽量床衝撃音も殆どすべて弾性防振材で吸収され、天井野縁に伝わり難く、極めて良好な防振性を備えた床構造である。
【００３０】
かかる床構造にする一施工方法は、例えば、天井野縁の上面に、天井野縁側取付部である下側水平片と上側水平片と垂直板部とでＺ字形に形成された天井野縁側連結金具の天井野縁側取付部である下側水平片を取り付け、垂直連結板の垂直側面にＬ字形の垂直連結板側連結金具の垂直片を取り付け、この垂直連結板側連結金具の水平片の上面、または、天井野縁側連結金具の上側水平片の下面に弾性防振材を取り付け、この弾性防振材を挟んだ状態にして、垂直連結板側連結金具の水平片の上面に天井野縁側連結金具の上側水平片を載せると、弾性防振材を挟んで天井野縁を垂直連結片に取り付けることができ、施工し易い。
【００３１】
また、請求項１記載の発明と同様に、垂直連結板の下面の高さを梁部材の下面より天井野縁の高さだけ高い位置にして垂直連結板を梁部材に取り付けることにより、この天井野縁の下面に取り付けられる天井材の高さを梁部材のすぐ下方に設けることができる。即ち、従来の梁部材に直接天井材を取り付ける場合とほぼ同じ高さに天井材を取り付けることができる。
【００３２】
又、ほぼ平行な梁部材の間に垂直連結板を差し渡して取り付けることにより、梁部材が倒れなくなると同時に、梁部材間の連結を強固にすることができ、床の剛性が増す。このように床の剛性が増すと、特に、重量床衝撃音に対する床の耐衝撃性がよくなり、床が振動し難くなる。
【００３３】
請求項４記載の発明は、天井野縁が断面矩形状の長尺体の野縁受け材と断面矩形状の長尺体の野縁材とからなり、断面矩形状の長辺を垂直にした野縁受け材の下面に野縁材が、野縁材の断面矩形状の長辺を水平にして連結されたものであるから、断面矩形状の野縁受け材の長辺を垂直にすることよって天井野縁が撓み難くなるし、野縁材の長辺を水平にすることになり下面が広くなり、この下面に天井材に取り付け易くなる。換言すると、全体を大きな断面にするより材料が少なく、しかも、大きな断面の天井野縁とほぼ同じ性能を有する良好な天井野縁となる。
【００３４】
請求項５記載の発明は、天井野縁に制振重りが取り付けられて重くなっているから、床の上を人が歩いたり床の上に物を落下させたりして梁部材が振動しても、弾性防振材を介して取り付けられている野縁受けが振動し難い。
【００３５】
請求項６記載の発明は、請求項１〜請求項５のいずれかに記載の床構造が備えられているから、居室の十分な天井高さを確保しつつ遮音性能のよいユニット建物となる。
【００３６】
【発明の実施の形態】
次に、本発明の実施の形態を示す。
（実施例１）図１〜図３は本発明の床構造をユニット建物に適用した一実施例を示すもので、図１（イ）は床パネルの一部の部品を外した状態を示す一部切欠説明図、（ロ）は床パネルを下階の壁パネルの上に取り付けたときの（イ）のＡ−Ａ線における断面図、図２（イ）は床材を取り除いた床パネルの平面図、（ロ）は（イ）のＢ−Ｂ線における断面図、（ハ）は（イ）のＣ−Ｃ線における断面図、図３はユニット建物を示す説明図である。
【００３７】
図１〜図３において、Ｕはユニット建物であり、このユニット建物Ｕは、図３に示すように、基礎９の上に１階の建物ユニットＵ１が据え付けられ、この上に２階の建物ユニットＵ２が据え付けられ、最上階の建物ユニットＵ１，Ｕ２の上に屋根ユニットＵ３が取り付けられたものである。
【００３８】
１は２階の建物ユニットＵ２の床パネルであり、この床パネル１は床と下階の天井とからなる。この床パネル１の骨格は、一対の桁側床大梁１１，１１と一対の妻側床大梁１２，１２とが矩形状に枠組されている。この相対する妻側床大梁１２，１２には４本（複数）のほぼ平行な床小梁１３，１３，１３，１３が差し渡されている。また、桁側床大梁１１，１１間はこの平行な床小梁１３，１３，１３，１３よってほぼ等間隔に区切られている。さらに、この床小梁１３と桁側床大梁１１との間や、床小梁１３と隣の床小梁１３との間に垂直連結板１４が差し渡されて取り付けられている。そして、この桁側床大梁１１，妻側床大梁１２，床小梁１３等の梁部材の上面に床材１５が取り付けられて床が構成されている。
【００３９】
このように、ほぼ平行な梁部材の間に垂直連結板１４を差し渡すことにより、この床パネル１は桁側床大梁１１や床小梁１３等の梁部材が倒れることがなくなると同時に、桁側床大梁１１や床小梁１３等の梁部材間の連結が強固になり、床パネル１の剛性が増す。このように床パネル１の剛性が増すと、特に、重量床衝撃音に対する床の耐衝撃性がよくなり、床が振動し難くなる。
【００４０】
２は天井を構成する天井パネルであり、この天井パネル２は厚みほぼ１２．５ｍｍの石膏ボードの天井材２１と、この天井材２１の上面に取り付けられた天井野縁２２とからなる。なお、この天井野縁２２は野縁材（断面ほぼ３１ｍｍ×ほぼ４３ｍｍの木製長尺体）２２１の長辺を水平にし、この上に厚みほぼ９ｍｍの合板のスペーサー２２２を介して野縁受け（断面ほぼ３８ｍｍ×ほぼ８９ｍｍの木製長尺体）２２３の長辺を垂直にして取り付けたものであり、天井材２１は野縁材２２１の下面に取り付けられている。
【００４１】
この天井パネル２が床パネル１に取り付けられる取付構造は、野縁受け２２３の上面にＬ字形の連結金具（天井野縁側連結金具）４の水平片（天井野縁側取付部）４１が取り付けられ、垂直連結板１４のほぼ垂直な側面に平板状の連結金具（垂直連結板側連結金具）５が取り付けられ、この野縁受け２２３側の連結金具４の垂直片４２と垂直連結材１４側の連結金具５との間に弾性防振材３を挟んで、野縁受け２２３が垂直連結板１４の垂直側面１４１に連結されて、天井パネル２が床パネル１の垂直連結板１４に取り付けられている。
【００４２】
なお、この際、垂直連結板１４の下面の高さは桁側床大梁１１，妻側床大梁１２，床小梁１３等の梁部材の下面より天井野縁２２の高さだけ高い位置になっている。このようになっているので、この天井野縁２２の下面に取り付けられる天井材２１が桁側床大梁１１，妻側床大梁１２，床小梁１３等の梁部材のすぐ下方に設けられている。即ち、従来の梁部材に直接天井材２１を取り付ける場合とほぼ同じ高さに天井材２１が取り付けられている。
【００４３】
また、天井野縁２２では、断面矩形状の野縁受け材２２３の長辺が垂直になっているので、天井野縁２２が撓み難い。又、野縁材２２１が断面矩形状の長辺を水平にして野縁受け材２２３の下面に取り付けられているので、野縁材の下面が広くなり、この下面に天井材２１を取り付け易い。換言すると、全体を大きな断面にするより材料が少なく、しかも、全体を大きくした天井野縁とほぼ同じ性能を有する良好な天井野縁である。
【００４４】
６は重さ３．３８ｋｇの鉛塊の制振重り（防振重り）であり、この制振重り６は天井野縁２２の野縁受け２２３の上面に取り付けられている。このように野縁受け２２３の上に制振重り６が取り付けられていると、天井野縁２２が重くなり、野縁受け２２３が振動し難くなり、重量床衝撃音を低減する。
【００４５】
２階の建物ユニットＵ２は、この床パネル１の周囲に図示しない壁パネルが立設されたものである。又、１階の建物ユニットＵ１は上記床パネル１の天井パネルを除いた構造とほぼ同じ床パネルの周囲に壁パネルを立設したものであるので、説明を省略する。尚、図１（ロ）にはこの１階の建物ユニットＵ１の壁パネル７が記載されている。又、屋根ユニットＵ３は屋根パネルでもよいが、いずれにせよ床構造と関係がないので説明を省略する。
【００４６】
次に、ユニット建物Ｕの施工方法および作用について説明する。工場で１階の建物ユニットＵ１、２階の建物ユニットＵ２および屋根ユニットＵ３を製造する。この際の２階建物ユニットＵ２の床パネル１の製造方法を説明する。桁側床大梁１１，１１と妻側床大梁１２，１２とを矩形状に枠組し、この相対する妻側床大梁１２，１２に床小梁１３，１３・・をほぼ平行に差し渡し、床小梁１３と桁側床大梁１１や、床小梁１３と隣の床小梁１３に、ほぼ垂直な側面に平板状の連結金具５が取り付けられた垂直連結板１４を差し渡し取り付けて床パネル１の骨格を製造する。
【００４７】
一方、断面矩形状の野縁受け材２２３の長辺を垂直にし、この野縁受け材２２３の下面にスペーサー２２２と野縁材２２１とを取り付けて天井野縁２２を製造し、この野縁受け２２３の上面にＬ字形の連結金具４の水平片４１を取り付ける。そして、この野縁受け２２３側の連結金具４の垂直片４２と垂直連結板１４側の連結金具５との間に弾性防振材３を挟んで、野縁受け２２３を垂直連結板１４の垂直側面１４１に連結して、天井野縁２２を床パネル１の垂直連結板１４に取り付ける。弾性防振材３は動的バネ定数が５〜３００Ｎ／ｍｍのゴム製である。
【００４８】
なお、この際、垂直連結板１４の下面の高さを桁側床大梁１１，妻側床大梁１２，床小梁１３等の梁部材の下面より天井野縁２２の高さだけ高い位置に取り付ける。桁側床大梁１１、妻側床大梁１２、床小梁１３等の梁部材の上面に床材１５を取り付け、天井野縁２２の野縁材２２１の下面に天井材２１を取り付けて床パネル１を製造する。
【００４９】
このようにして製造した床パネル１では、天井野縁２２の下面に取り付けられた天井材２１が垂直連結板１４の下面の高さを桁側床大梁１１，妻側床大梁１２，床小梁１３等の梁部材のすぐ下方に取り付けられている。即ち、従来の梁部材に直接天井材２１を取り付ける場合とほぼ同じ高さに天井材２１が取り付けられている。従って、この床パネル１を使用した建物ユニットを組み込んだユニット建物Ｕは、従来の建物ユニットとほぼ同じ高さにしても、床と天井との距離を従来とほぼ同じにすることができ、十分な天井高さを居室を形成でき居住性の良好な建物となる。
【００５０】
また、このように、天井野縁２２の上面にＬ字形の連結金具４の水平片４１を取り付け、垂直連結板１４のほぼ垂直な側面に平板状の連結金具５を取り付け、この野縁受け２２３側の連結金具４の垂直片４２と垂直連結板１４側の連結金具５との間に弾性防振材３を挟んで、野縁受け２２３を垂直連結板１４の垂直側面１４１に連結するだけで、天井野縁２２を床パネル１の垂直連結板１４に取り付けることができ施工し易い。
【００５１】
このようにして製造した１階の建物ユニットＵ１、２階の建物ユニットＵ２、屋根ユニットＵ３等を施工現場に運搬し、施工現場では、予め設けられている基礎９の上に１階の建物ユニットＵ１を据え付け、この上に２階の建物ユニットＵ２を据え付け、最上階の建物ユニットＵ１，Ｕ２の上に屋根ユニットＵ３を取り付け、種々な仕上げを行うとユニット建物Ｕが完成する。
【００５２】
このようにして完成したユニット建物Ｕでは、天井野縁２２に取り付けられた連結金具４の垂直片４２と垂直連結板１４のほぼ垂直な側面に取り付けられた平板状の取付金具５の間に弾性防振材３を挟んで天井野縁２２が垂直連結板１４に取り付けられていて、床の上を人が歩いたり物を落下させて床が振動しても、この振動を重量床衝撃音も軽量床衝撃音も殆どすべて弾性防振材３で吸収して天井野縁２２に伝わり難くなっているし、床パネル１が垂直連結板１４によって剛性が増し床パネル１の耐衝撃性がよくなっているし、野縁受け２２３の上に制振重り６が取り付けられていて野縁受け２２３が振動し難くなっているというように、幾重にも振動を防ぐ構造を備えているので、極めて良好な防振性を有する床構造を備えた建物である。
（実施例２）
図４は本発明の他の実施例を示すもので、垂直連結板に天井野縁が取り付けられている取付構造を示す説明図である。
【００５３】
この図４に示す実施例２を図１〜図３に示す実施例１と比較すると、垂直連結板１４ａに天井野縁２２ａが取り付けられている取付構造が異なる。即ち、野縁受け２２３ａの上面にＬ字形の連結金具（天井野縁側連結金具）４ａの水平片４１ａが取り付けられ、この野縁受け２２３ａ側の連結金具４ａの垂直片４２ａと垂直連結板１４ａのほぼ垂直な側壁１４１ａとの間に弾性防振材３ａを挟んで、天井野縁２２ａが床パネル１ａの垂直連結板１４ａに取り付けられている。換言すると、実施例１では垂直連結板に平板状の取付金具が取り付けられているが、この実施例２では垂直連結板１４ａに平板状の取付金具を取り付けることなく直接弾性防振材３ａが当接されて取り付けられていることが異なる。その他の構造および作用は実施例１とほぼ同じであるので説明を省略する。
（実施例３）
図５は本発明の別の実施例を示すもので、垂直連結板に天井野縁が取り付けられている取付構造を示す説明図である。
【００５４】
この図５に示す実施例３を図１〜図３に示す実施例１と比較すると、垂直連結板１４ｂに天井野縁２２ｂが取り付けられた取付構造が異なる。即ち、野縁受け２２３ｂの上面にＺ字形の連結金具（天井野縁側連結金具）４ｂの下側水平片４１ｂが取り付けられている。なお、この連結金具４ｂは天井野縁側取付部である下側水平片と上側水平片と垂直片とでＺ字形に形成されたものである。又、垂直連結材１４ｂのほぼ垂直な側面にＬ字形の連結金具（垂直連結板側連結金具）５ｂの垂直片５２ｂが取り付けられ、水平片５１ｂの上面に弾性防振材３ｂが取り付けられている。
【００５５】
そして、この野縁受け２２３ｂ側の連結金具４ｂの上側水平片４３ｂと垂直連結材１４ｂ側の連結金具５ｂの水平片５１ｂとの間に弾性防振材３ｂを挟むようにして、野縁受け２２３ｂ側の連結金具４ｂの上側水平片４３ｂが垂直連結板１４ｂ側の連結金具５ｂの水平片５１ｂの上に載せられて、天井野縁２２ｂが床パネル１ｂの垂直連結板１４ｂに取り付けられている。その他の構造および作用は弾性防振材を剪断防振材を剪断方向に用いた実施例１に大して弾性防振材を圧縮方向に用いたことにより防振性能が工場した以外は実施例１とほぼ同じであるので説明を省略する。
（実施例４）
図６は本発明の更に別の実施例を示すもので、垂直連結板に天井野縁が取り付けられている取付構造を示す説明図である。この図６に示す実施例４を図１〜図３に示す実施例１と比較すると、垂直連結板１４ｃに天井野縁２２ｃが取り付けられている取付構造が異なる。即ち、野縁受け２２３ｃの上面にＺ字形の連結金具（天井野縁側連結金具）４ｃの下側水平片天井野縁側取付部）４１ｃが取り付けられ、上側水平片４３ｃの下面に弾性防振材３ｃが取り付けられている。
【００５６】
又、垂直連結材１４ｃのほぼ垂直な側面にＬ字形の連結金具５ｃの垂直片５２ｃが取り付けられている。そして、この野縁受け２２３ｃ側の連結金具４ｃの上側水平片４３ｃと垂直連結材１４ｃ側の連結金具５ｃの水平片５１ｃとの間に弾性防振材３ｃを挟むようにして、野縁受け２２３ｃ側の連結金具４ｃの上側水平片４３ｃが垂直連結板１４ｃ側の連結金具５ｃの水平片５１ｃの上に載せられて、天井野縁２２ｃが床パネル１ｃの垂直連結板１４ｃに取り付けられている。その他の構造および作用は実施例３とほぼ同じであるので説明を省略する。
【００５７】
以上実施例に基づいて説明したが、本発明はこの実施例に限られるものでなく、本発明の要旨に反しない程度に変更があっても本発明に含まれる。例えば、床上制振シートを取り付けていてもよいし、本発明の床構造と、床根太、床材、天井材とで空気を密閉にする床の遮音性能の向上とを併用して全体のとしての床遮音性能を向上させてもよい。又、ユニット建物以外の建物に応用してもよい。
【００５８】
【発明の効果】
請求項１記載の発明は、ほぼ平行な床大梁と前記床小梁との間及び各床小梁間に垂直連結板が差し渡されて取り付けられ、この垂直連結板のほぼ垂直な側面と天井野縁との間に弾性防振材を挟んで天井野縁が垂直連結板に取り付けられているので、床の上を人が歩いたり物を落下させて床が振動しても、この振動は、重量床衝撃音も軽量床衝撃音も殆どすべて弾性防振材で吸収され、天井野縁に伝わり難く、極めて良好な防振性、遮音性を備えた床構造であるし、施工し易い床構造である。
【００５９】
また、天井野縁は垂直連結板のほぼ垂直な側面に取り付けられているので、従来の梁部材に直接天井材を取り付ける場合とほぼ同じ高さに天井材を取り付けることができる。従って、この床構造をユニット建物を適用しても、なんら支障がない。即ち、この床構造を備えた建物ユニットは従来と同じ高さにして運搬できるし、この床構造の床パネルを使用した建物ユニットを組み込んだユニット建物は床と天井との距離を従来とほぼ同じにすることができ居住性の良好な建物となる。又、ほぼ平行な梁部材の間に垂直連結板を差し渡されて取り付けられているので、梁部材が倒れることがなくなると同時に、梁部材間の連結を強固にすることができ、床の剛性が増し、特に、重量床衝撃音に対する床の耐衝撃性がよくなり、振動し難くなる。
【００６０】
請求項２記載の発明は、ほぼ平行な床大梁と前記床小梁との間及び各床小梁間に垂直連結板が差し渡されて取り付けられ、天井野縁に天井野縁側連結金具の天井野縁側取付部が取り付けられ、この天井野縁に取り付けられた天井野縁側連結金具の垂直片と垂直連結板のほぼ垂直な側面との間に弾性防振材を挟んで天井野縁が垂直連結板に取り付けられているので、床の上を人が歩いたり物を落下させて床が振動しても、この振動は、重量床衝撃音も軽量床衝撃音も殆どすべて弾性防振材で吸収され、天井野縁に伝わり難く、極めて良好な防振性、遮音性を備えた床構造であるし、施工し易い床構造である。
【００６１】
また、請求項１記載の発明と同様に、天井野縁は垂直連結板のほぼ垂直な側面に取り付けられているので、従来の梁部材に直接天井材を取り付ける場合とほぼ同じ高さに天井材を取り付けることができる。従って、この床構造をユニット建物を適用しても、なんら支障がない。即ち、この床構造を備えた建物ユニットは従来と同じ高さにして運搬できるし、この床構造の床パネルを使用した建物ユニットを組み込んだユニット建物は床と天井との距離を従来とほぼ同じにすることができ居住性の良好な建物となる。又、ほぼ平行な梁部材の間に垂直連結板を差し渡すことにより、梁部材が倒れることがなくなると同時に、梁部材間の連結を強固にすることができ、床の剛性が増し、特に、重量床衝撃音に対する床の耐衝撃性がよくなり、振動し難くなる。
【００６２】
請求項３記載の発明では、ほぼ平行な床大梁と前記床小梁との間及び各床小梁間に垂直連結板が差し渡されて取り付けられ、この垂直連結板のほぼ垂直な側面にＬ字形の垂直連結板側連結金具の垂直片が取り付けられ、天井野縁に天井野縁側連結金具の天井野縁側取付部が取り付けられ、垂直連結板に取り付けられた垂直連結板側連結金具の水平片の上面と天井野縁に取り付けられたＺ字形の連結金具の上側水平片の上面との間に弾性防振材を挟んで天井野縁が垂直連結板に取り付けられているので、床の上を人が歩いたり物を落下させて床が振動しても、この振動は、重量床衝撃音も軽量床衝撃音も殆どすべて弾性防振材で吸収され、天井野縁に伝わり難く、極めて良好な防振性を備えた床構造であるし、施工し易い床構造である。
【００６３】
また、請求項１記載の発明と同様に、天井野縁は垂直連結板のほぼ垂直な側面に取り付けられているので、従来の梁部材に直接天井材を取り付ける場合とほぼ同じ高さに天井材を取り付けることができる。従って、この床構造をユニット建物を適用しても、なんら支障がない。即ち、この床構造を備えた建物ユニットは従来と同じ高さにして運搬できるし、この床構造の床パネルを使用した建物ユニットを組み込んだユニット建物は床と天井との距離を従来とほぼ同じにすることができ居住性の良好な建物となる。又、ほぼ平行な梁部材の間に垂直連結板を差し渡して取り付けることにより、梁部材が倒れなくなると同時に、梁部材間の連結を強固にすることができ、床の剛性が増し、特に、重量床衝撃音に対する床の耐衝撃性がよくなり、振動し難くなる。
【００６４】
請求項４記載の発明は、天井野縁が断面矩形状の長尺体の野縁受け材と断面矩形状の長尺体の野縁材とからなり、断面矩形状の長辺を垂直にした野縁受け材の下面に野縁材が、野縁材の断面矩形状の長辺を水平にして連結されたものであるから、天井野縁が撓み難いし、天井材を取り付け易い。
【００６５】
請求項５記載の発明は、天井野縁に制振重りが取り付けられて重くなっているから、床の上を人が歩いたり床の上に物を落下させたりして梁部材が振動しても、弾性防振材を介して取り付けられている野縁受けが振動し難くなる。
【００６６】
請求項６記載の発明は、請求項１〜請求項５のいずれかに記載の床構造が備えられているから居室の十分な天井高さを確保しつつ遮音性能のよいユニット建物となる。
【図面の簡単な説明】
【図１】  本発明の床構造をユニット建物に適用した一実施例を示すもので、（イ）は床パネルの一部の部品を外した状態を示す一部切欠説明図、（ロ）は床パネルを下階の壁パネルの上に取り付けたときの（イ）のＡ−Ａ線における断面図である。
【図２】  （イ）は床材を取り除いた床パネルの平面図、（ロ）は（イ）のＢ−Ｂ線における断面図、（ハ）は（イ）のＣ−Ｃ線における断面図である。
【図３】  ユニット建物を示す説明図である。
【図４】  本発明の他の実施例を示すもので、垂直連結板に天井野縁が取り付けられた取付構造を示す説明図である。
【図５】  本発明の別の実施例を示すもので、垂直連結板に天井野縁が取り付けられた取付構造を示す説明図である。
【図６】  本発明の更に別の実施例を示すもので、垂直連結板に天井野縁が取り付けられた取付構造を示す説明図である。
【図７】  従来の床構造を示す説明図である。
【符号の説明】
１ 床パネル
１１ 桁側床大梁
１２ 妻側床大梁
１３ 床小梁
１４，１４ａ，１４ｂ，１４ｃ 垂直連結板
１５ 床材
２１ 天井材
２２，２２ａ，２２ｂ，２２ｃ 天井野縁
２２１ 野縁材
２２２ スペーサー
２２３、２２３ａ，２２３ｂ，２２３ｃ 野縁受け
３，３ａ，３ｂ，３ｃ 弾性防振材
４，４ａ 連結金具
４１，４１ａ 水平片
４ｂ，４ｃ 連結金具
４１ｂ、４１ｃ 下側水平片
４３ｂ，４３ｃ 上側水平片
４２，４２ａ 垂直片
５ 連結金具
５ｂ，５ｃ 連結金具
５１ｂ，５１ｃ 水平片
５２ｂ，５２ｃ 垂直片
【図１】
0003725703.tif 000002
【図２】
0003725703.tif 000003
【図３】
0003725703.tif 000004
【図４】
0003725703.tif 000005
【図５】
0003725703.tif 000006
【図６】
0003725703.tif 000007
【図７】
0003725703.tif 000008